(57)【要約】【課題】作業対象の領域における作業量を適切に評価すること。【解決手段】実績入力受付部１０１は、作業対象の領域に対して過去に行われた作業の実績の入力を受け付けることで、その作業実績を取得する。基準点算定部１０３は、蓄積された作業実績に基づき、作業対象の領域に対して行われる作業の作業量の基準点を算定する。作業入力受付部１０５は、新たな作業領域における作業内容を取得する。作業点算出部１０６は、蓄積された作業実績に基づいて、新たな作業領域における作業時間を示す作業点を算出する。作業者組合せ抽出部１０７は、算出された作業点の作業（新たな作業領域における作業）を行う作業者の組合せを抽出する。結果出力部１０８は、算出された新たな作業領域における作業点（算出結果）及び抽出された作業者の組合せ（抽出結果）を出力する。【選択図】図２
2020123100.tif 000002
【特許請求の範囲】
【請求項１】
作業対象の領域に対して過去に行われた作業の実績として、当該領域の広さ、当該領域における作業量を変動させる要素及び作業時間の入力を受け付ける受付部と、
新たな作業対象の領域の広さ及び当該領域における前記要素を取得する取得部と、
前記実績の入力が受け付けられた領域における前記広さ、前記要素及び作業時間の関係を、取得された前記広さ及び前記要素に適用した場合の作業時間を示す点数を算出する算出部と
を備える情報処理装置。
【請求項２】
前記作業は、カバー用の部材を前記領域に張り上げる作業であり、
前記要素には、前記領域に前記部材を並べると前記領域から前記部材がはみ出す場合に、前記部材のはみ出す部分とはみ出さない部分との境界の態様を表す要素が含まれる
請求項１に記載の情報処理装置。
【請求項３】
前記態様を表す要素は、前記領域に存在する入隅の数又は出隅の数である
請求項２に記載の情報処理装置。
【請求項４】
前記態様を表す要素は、前記部材の辺が前記領域の境界線に対して斜めに交わる部分の長さである
請求項２又は３に記載の情報処理装置。
【請求項５】
前記態様を表す要素は、前記領域の境界線に含まれる曲線部分の長さである
請求項２から４のいずれか１項に記載の情報処理装置。
【請求項６】
前記作業は、カバー用の部材を前記領域に張り上げる作業であり、
前記要素には、前記部材の厚さ、硬さ又は素材が含まれる
請求項１から５のいずれか１項に記載の情報処理装置。
【請求項７】
前記要素は、前記領域での作業が第１領域での作業及び第２領域での作業に分断される場合の前記第１領域及び第２領域の広さの割合であり、
前記算出部は、前記割合に応じて、前記適用した場合の作業時間を示す点数を補正する
請求項１から６のいずれか１項に記載の情報処理装置。
【請求項８】
前記算出部は、前記新たな作業対象の領域で作業する際の気温の低さに応じて、前記適用した場合の作業時間を示す点数をより大きな点数に補正する
請求項１から７のいずれか１項に記載の情報処理装置。
【請求項９】
前記作業は、カバー用の部材を前記領域に張り上げる作業であり、
前記算出部は、前記部材の新製品が用いられる場合には、当該新製品と類似する部材を用いた作業ほど前記広さ、要素及び作業時間の関係の重みを重くして前記点数を算出する
請求項１から８のいずれか１項に記載の情報処理装置。
【請求項１０】
前記取得部は、作業で用いられた作業道具を前記作業の実績として取得し、
前記算出部は、作業時間を所定のレベル以上短縮する特定の作業道具の使用率が閾値以上になるまでは、当該特定の作業道具を用いた作業についての前記広さ、要素及び作業時間の関係の重みを軽くして前記点数を算出する
請求項１から９のいずれか１項に記載の情報処理装置。
【請求項１１】
前記取得部は、作業を行った作業者の技量レベルを前記作業の実績として取得し、
前記算出部は、所定の上級レベル以上の技量レベル又は所定の下級レベル未満の技量レベルの作業者による前記作業の実績における前記広さ、要素及び作業時間の関係の重みを軽くして前記点数を算出する
請求項１から１０のいずれか１項に記載の情報処理装置。
【請求項１２】
各作業者の１日当たりの作業点に基づいて、算出された前記点数の作業を行う作業者の組合せを抽出する抽出部を備える
請求項１から１１のいずれか１項に記載の情報処理装置。
【発明の詳細な説明】
【技術分野】
【０００１】
本発明は、作業量を評価するための技術に関する。
【背景技術】
【０００２】
作業量を評価するための技術がある。例えば特許文献１には、産業用ボイラの過去の更新工事の実績を記憶しておき、入力された仕様情報に基づいて類似する実績を抽出し、費目毎の概算見積を算出する技術が開示されている。
【先行技術文献】
【特許文献】
【０００３】
【特許文献１】特開２０１５−９９４７６号公報
【発明の概要】
【発明が解決しようとする課題】
【０００４】
内装工事におけるカーペット貼りのように一定の広さを有する領域に対して作業が行われる場合、通常は作業対象の領域が広いほど作業時間が長くなる。しかし、作業対象の領域の広さが同じであっても、例えば正方形の部屋と入り組んだ廊下とでは、実際の作業に要する時間は変動する。そのため、領域の広さだけで作業量を評価すると、評価した作業量では作業が収まらないことが起こり得る。
そこで、本発明は、作業対象の領域における作業量を適切に評価することを目的とする。
【課題を解決するための手段】
【０００５】
上記目的を達成するために、本発明は、作業対象の領域に対して過去に行われた作業の実績として、当該領域の広さ、当該領域における作業量を変動させる要素及び作業時間の入力を受け付ける受付部と、新たな作業対象の領域の広さ及び当該領域における前記要素を取得する取得部と、前記実績の入力が受け付けられた領域における前記広さ、前記要素及び作業時間の関係を、取得された前記広さ及び前記要素に適用した場合の作業時間を示す点数を算出する算出部とを備える情報処理装置を提供する。
【０００６】
また、前記作業は、カバー用の部材を前記領域に張り上げる作業であり、前記要素には、前記領域に前記部材を並べると前記領域から前記部材がはみ出す場合に、前記部材のはみ出す部分とはみ出さない部分との境界の態様を表す要素が含まれていてもよい。
【０００７】
また、前記態様を表す要素は、前記領域に存在する入隅の数又は出隅の数であってもよい。
【０００８】
また、前記態様を表す要素は、前記部材の辺が前記領域の境界線に対して斜めに交わる部分の長さであってもよい。
【０００９】
また、前記態様を表す要素は、前記領域の境界線に含まれる曲線部分の長さであってもよい。
【００１０】
また、前記作業は、カバー用の部材を前記領域に張り上げる作業であり、前記要素には、前記部材の厚さ、硬さ又は素材が含まれていてもよい。
【００１１】
また、前記要素は、前記領域での作業が第１領域での作業及び第２領域での作業に分断される場合の前記第１領域及び第２領域の広さの割合であり、前記算出部は、前記割合に応じて、前記適用した場合の作業時間を示す点数を補正してもよい。
【００１２】
また、前記算出部は、前記新たな作業対象の領域で作業する際の気温の低さに応じて、前記適用した場合の作業時間を示す点数をより大きな点数に補正してもよい。
【００１３】
また、前記作業は、カバー用の部材を前記領域に張り上げる作業であり、前記算出部は、前記部材の新製品が用いられる場合には、当該新製品と類似する部材を用いた作業ほど前記広さ、要素及び作業時間の関係の重みを重くして前記点数を算出してもよい。
【００１４】
また、前記取得部は、作業で用いられた作業道具を前記作業の実績として取得し、前記算出部は、作業時間を所定のレベル以上短縮する特定の作業道具の使用率が閾値以上になるまでは、当該特定の作業道具を用いた作業についての前記広さ、要素及び作業時間の関係の重みを軽くして前記点数を算出してもよい。
【００１５】
また、前記取得部は、作業を行った作業者の技量レベルを前記作業の実績として取得し、前記算出部は、所定の上級レベル以上の技量レベル又は所定の下級レベル未満の技量レベルの作業者による前記作業の実績における前記広さ、要素及び作業時間の関係の重みを軽くして前記点数を算出してもよい。
【００１６】
また、各作業者の１日当たりの作業点に基づいて、算出された前記点数の作業を行う作業者の組合せを抽出する抽出部を備えていてもよい。
【発明の効果】
【００１７】
本発明によれば、作業対象の領域における作業量を適切に評価することができる。
【図面の簡単な説明】
【００１８】
【図１】実施例に係る作業量評価装置のハードウェア構成を表す図
【図２】作業量評価装置が実現する機能構成を表す図
【図３】作業領域となる床の一例を表す図
【図４】作業領域に並べたカバー用部材の一例を表す図
【図５】作業領域をはみ出すカバー用部材を強調して表す図
【図６】作業実績の入力画面の一例を表す図
【図７】算定された基準点の一例を表す図
【図８】作業領域からはみ出すカバー用部材の例を表す図
【図９】新たな作業内容の入力画面の一例を表す図
【図１０】作業点リストの一例を表す図
【図１１】出力された算出結果及び抽出結果の一例を表す図
【図１２】算出処理における動作手順の一例を表す図
【図１３】変形例の作業領域の一例を表す図
【図１４】変形例の作業領域の一例を表す図
【図１５】補正テーブルの一例を表す図
【図１６】本変形例の補正テーブルの一例を表す図
【図１７】変形例の全体構成の一例を表す図
【図１８】変形例で実現される機能構成の一例を表す図
【発明を実施するための形態】
【００１９】
［１］実施例
図１は実施例に係る作業量評価装置１０のハードウェア構成を表す。作業量評価装置１０は、工事等で行われる作業の作業量を評価するための装置である。作業量評価装置１０の評価対象となる作業は、一定の広さを有する領域に対する作業であり、例えばタイル施工、カーペット施工、壁紙施工及び天井パネル施工等の床、壁及び天井を作業対象の領域とする作業である。
【００２０】
これらの作業対象（床、壁及び天井）は通常は建物の内部にあるため、いわゆる内装工事における作業対象となる。本発明では、作業量の評価対象を内装工事の作業に限定する必要はないが、本実施例では典型的な例として、内装工事の作業を評価対象とする。作業量評価装置１０は、プロセッサ１１と、メモリ１２と、ストレージ１３と、通信装置１４と、入力装置１５と、出力装置１６とを備えるコンピュータである。
【００２１】
プロセッサ１１は、オペレーティングシステムを動作させてコンピュータ全体を制御する。プロセッサ１１は、周辺装置とのインターフェース、制御装置、演算装置及びレジスタ等を含む中央処理装置（ＣＰＵ：Central Processing Unit）を備える。プロセッサ１１は、ブラウザ等のプログラム（プログラムコード）、ソフトウェアモジュール及びデータ等を、ストレージ１３や通信装置１４からメモリ１２に読み出し、これらに従って各種の処理を実行する。
【００２２】
メモリ１２は、コンピュータが読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等である。ストレージ１３は、コンピュータが読み取り可能な記録媒体であり、例えば、ハードディスクドライブ、フレキシブルディスク及びフラッシュメモリ等である。ストレージ１３は、補助記憶装置と呼ばれてもよい。
【００２３】
通信装置１４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。入力装置１５は、外部からの入力を受け付ける入力デバイス（例えば、キーボード、マウス、マイクロフォン、スイッチ、ボタン、センサなど）である。
【００２４】
出力装置１６は、外部への出力を実施する出力デバイス（例えば、ディスプレイ、スピーカー、ＬＥＤランプなど）である。なお、入力装置１５及び出力装置１６は、一体となった構成（例えば、タッチスクリーン）であってもよい。また上記のハードウェア構成は仮想化されたリソース（クラウドコンピューティングサービスで提供されるリソース）で提供されてもよい。
【００２５】
作業量評価装置１０が備える各装置のプロセッサがプログラムを実行して各部を制御することで、以下に述べる機能が実現される。
図２は作業量評価装置１０が実現する機能構成を表す。作業量評価装置１０は、実績入力受付部１０１と、実績蓄積部１０２と、基準点算定部１０３と、基準点記憶部１０４と、作業入力受付部１０５と、作業点算出部１０６と、作業者組合せ抽出部１０７と、結果出力部１０８とを備える。
【００２６】
実績入力受付部１０１は、作業対象の領域に対して過去に行われた作業の実績の入力を受け付ける。作業対象の領域（以下「作業領域」という）は、本実施例では、上述した床、壁及び天井である。実績入力受付部１０１は、作業領域の広さ、作業領域における作業量を変動させる要素（以下「変動要素」という）及び作業時間の入力を作業実績として受け付ける。実績入力受付部１０１は本発明の「受付部」の一例である。
【００２７】
作業領域の広さとしては例えば平米（ｍ２：平方メートル）単位の面積が入力され、作業時間としては例えば作業に要した秒数が入力される。また、変動要素としては、例えばタイル施工のようにカバー用の部材を作業領域に張り上げる作業（張上作業）においては、次の要素が入力される。張上作業には、カバー用部材を作業領域に貼り付ける作業、敷き詰める作業（貼り付けなくてもよい）及び器具を用いて固定する作業等が含まれる。
【００２８】
張上作業では、作業領域にカバー用部材が全く余りなく張り上げられることはほとんどなく、普通は作業領域からはみ出す部分が生じる。ここでいうはみ出す部分には、部屋の中央にある柱と重なる部分も含まれる。つまり、例えば中央に柱が位置する正方形の部屋における作業領域とは、正方形の領域全体のことではなく、そこから柱の部分を除いた領域となる。言い換えると、作業領域とは、カバー用部材が張り上げられる領域となる。カバー用部材の作業領域からはみ出す部分は、カットして（切り取って）作業領域の境界線と形を合わせなければならない。
【００２９】
カバー用部材には、例えばタイル、カーペット、人工芝、床材、壁紙及び天井パネル等が含まれる。これらのカバー用部材の素材としては、ウール、ナイロン、ポリエステル、ポリプロピレン、リネン、紙、木、アクリル及び発泡スチロール等のカット可能なものが用いられる。カバー用部材のカットの作業は、カットする部分の長さが長いほど時間がかかり、また、カットする部分の形状が複雑であるほど時間がかかる。
【００３０】
従って、上述した変動要素（作業領域における作業量を変動させる要素）には、作業領域にカバー用部材を並べると作業領域からカバー用部材がはみ出す場合に、カバー用部材のはみ出す部分とはみ出さない部分の境界（つまりカットする部分）の態様を表す要素が含まれる。境界の態様とは、例えば境界の長さ及び形状である。境界が長いほど作業時間が増加し、境界の形状が複雑であったり曲線が多く含まれていたりするほど作業時間が増加するからである。この変動要素の例を、図３以降を参照して説明する。
【００３１】
図３は作業領域となる床の一例を表す。図３では、内部に４本の柱を有する長方形の床Ａ１が表されている。床Ａ１の場合、長方形の領域から４本の柱が占める部分を除いた部分が、作業領域Ｂ１（図３では分かり易くするために斜線を引いて示している）となる。
図４は作業領域Ｂ１に並べたカバー用部材の一例を表す。図４では、方眼状に並べられた複数の正方形のタイルが表されている。
【００３２】
タイルＣ１０１を図中の左上端に配置し、そこから床Ａ１の長辺に沿ってタイルＣ１１７までの１７個のタイルが並べられている。そして、タイルＣ１０１から床Ａ１の短辺に沿ってタイルＣ９０１まで９個のタイルが並べられている。従って、作業領域Ｂ１には、９行×１７列の１５３個のタイルが並べられている。図４には、作業領域Ｂ１の境界Ｄ１、Ｄ２、Ｄ３、Ｄ４、Ｄ５が二点鎖線で表されている。
【００３３】
境界Ｄ１は、長方形の床Ａ１の外周を表し、境界Ｄ２からＤ５までは、４本の柱の外周を表している。タイルのうち、９行目のタイル（Ｃ９０１〜Ｃ９１７）と１７列目のタイル（Ｃ１１７〜Ｃ９１７）は、いずれも境界Ｄ１を跨ぐように配置されている。また、タイルＣ２０２、Ｃ２０３、Ｃ３０２及びＣ３０３は、いずれも境界Ｄ２を跨ぐように配置されている。
【００３４】
また、タイルＣ７０２、Ｃ７０３、Ｃ８０２及びＣ８０３は、いずれも境界Ｄ３を跨ぐように配置されている。また、タイルＣ２１５、Ｃ２１６、Ｃ３１５及びＣ３１６は、いずれも境界Ｄ４を跨ぐように配置されており、タイルＣ７１５、Ｃ７１６、Ｃ８１５及びＣ８１６は、いずれも境界Ｄ５を跨ぐように配置されている。これらの境界を跨ぐように配置されたタイルは、いずれも作業領域Ｂ１からはみ出すカバー用部材である。
【００３５】
図５は作業領域Ｂ１をはみ出すカバー用部材を強調して表す。図５では、カットが不要なカバー用部材Ｃ１は白い正方形で表し、カットが必要なカバー用部材Ｃ２は斜線を引いて示している。カバー用部材Ｃ２のうち、例えばタイルＣ８１７等のように境界Ｄ１の辺に接するものは、その辺に沿って一直線にカットするだけで、作業領域Ｂ２に張り上げる部分の形になる。
【００３６】
これに対し、タイルＣ９１７は、境界Ｄ１の角に接している。この境界Ｄ１の角は、作業領域Ｂ２において入隅（壁と壁が交わってできる窪んだ隅）となっている部分である。入隅の場合、例えば境界Ｄ１の一方の辺に沿ってタイルＣ９１７を一直線にカットした後、他方の辺に沿ってタイルＣ９１７を一直線にカットすることで、作業領域Ｂ２における張り上げ部分の形になる。この場合、タイルＣ９１７のうちはみ出した部分が２分割されることになるが、その部分は床に張り上げないで廃棄するので問題ない。
【００３７】
これに対し、タイル７１６等は、境界Ｄ５の角を跨っている。この境界Ｄ５の角は、作業領域Ｂ２において出隅（壁と壁が交わってできる突き出た隅）となっている部分である。出隅の場合、タイルＣ９１７と同じようにカットしてしまうと、タイルのうち張り上げる部分が２分割されてしまうことになる。また、分割されなくても、少しでも角の先までカットしてしまうと、タイルのうち張り上げる部分に切れ目が残ってしまう。
【００３８】
そのため、出隅に接するタイル７１６の場合、境界Ｄ５をなぞって角より先はカットしないように慎重に作業しなければならない。このように、作業領域Ｂ２の辺に接しているカバー用部材よりも、作業領域Ｂ２の入隅に接しているカバー用部材の方がカット作業に時間を要することになりやすい。また、作業領域Ｂ２の入隅に接しているカバー用部材よりも、作業領域Ｂ２の出隅に接しているカバー用部材の方がカット作業に時間を要することになりやすい。
【００３９】
作業領域に存在する全ての入隅及び出隅についてカット作業が生じるとは限らないが、それでも入隅の数及び出隅の数が多くなるほど、カット作業が生じる入隅の数及び出隅の数も多くなりやすい。そのため、カバー用部材の作業領域からはみ出す部分とはみ出さない部分の境界（つまりカット部分）の形状が複雑になりやすい。つまり、この入隅の数及び出隅の数は、カット部分の態様を表す要素である。そして、入隅の数及び出隅の数が多くなるほど、カット作業に要する時間も多くなって作業領域における作業量が多くなる（変動する）。
【００４０】
カバー用部材の張上作業には、部材等の搬入、開梱、ケレン（不純物の除去）、清掃、墨出し（工事の基準となる線を墨で記すこと）、下地調整、接着剤塗布、張り上げ（カット作業を含む）、圧着、ゴミ出し、端部処理及びワックス塗布等が含まれる。実績入力受付部１０１は、これらの作業項目毎の作業時間及び変動要素の入力を受け付ける。実績入力受付部１０１は、本実施例では、作業実績の入力画面を表示する。
【００４１】
図６は作業実績の入力画面の一例を表す。図６の例では、実績入力受付部１０１は、作業量評価アプリの画面として、「作業実績を入力してください。」という文字列と、「工事名」の入力欄Ｅ１と、「作業日」の入力欄Ｅ２と、「作業項目」の入力欄Ｅ３と、「作業対象」の入力欄Ｅ４と、「面積・長さ」の入力欄Ｅ５と、「作業人数」の入力欄Ｅ６と、「作業時間」の入力欄Ｅ７と、「変動要素」のうち「入隅」の個数の入力欄Ｅ８と、「変動要素」のうち「出隅」の個数の入力欄Ｅ９と、入力ボタンＦ１とを表示している。
【００４２】
入力欄Ｅ２には、前述した各作業項目が手入力で入力されてもよいし、プルダウンリストで選択可能になっていてもよい。入力欄Ｅ５には、通常は作業領域の面積が入力されるが、作業項目が「墨出し」の場合のみ、墨出しの長さ（単位はメートル）が入力される。入力欄Ｅ７には、各作業項目の作業に要した時間が秒単位で入力される。実績入力受付部１０１は、入力ボタンＦ１を押す操作が行われたときに各入力欄に入力されている情報の入力を作業実績の入力として受け付ける。
【００４３】
なお、実績入力受付部１０１は、図６に表すような入力画面ではなく、例えば、作業実績が入力された表計算ソフトの一覧表データを読み込むことで、作業実績の入力を受け付けてもよい。また、実績入力受付部１０１は、例えば他のユーザ端末で入力された作業実績又は前述した一覧表データを読み込むことで、作業実績の入力を受け付けてもよい。実績入力受付部１０１は、入力を受け付けた作業実績を実績蓄積部１０２に供給する。
【００４４】
実績蓄積部１０２は、実績入力受付部１０１により入力が受け付けられた作業実績を蓄積する。実績蓄積部１０２は、実績入力受付部１０１から供給された作業実績を、キーとなる項目（例えば工事名）に対応付けて蓄積する。図６の例であれば、「〇〇内装工事」という工事名に対応付けて各作業実績が蓄積される。実績蓄積部１０２が蓄積した作業実績は、基準点算定部１０３によって参照される。
【００４５】
基準点算定部１０３は、実績蓄積部１０２に蓄積された作業実績に基づき、作業対象の領域に対して行われる作業の作業量を示す点数である基準点（基準ポイント）を算定する。作業量の基準点とは、各作業項目の作業を行う際に必要な作業量の特定の単位（単位の具体例は後述する）当たりの大きさを示す点数のことである。作業量は、例えばその作業を行う際に要する作業時間（作業時間が長いほど作業量が大きい）で表される。基準点算定部１０３は、本実施例では、上述した張上作業における基準点を、張上作業の作業項目毎及び変動要素毎に算定する。
【００４６】
図７は算定された基準点の一例を表す。図７（ａ）では、張上作業の作業項目毎に算定された基準点が表されている。基準点算定部１０３は、例えば、「部材の搬入」という作業項目であれば、過去の部材の搬入に要した作業時間の合計を、部材の搬入が行われた工事の回数及び作業人数で除算した値（作業時間合計÷工事回数÷作業人数）を基準点として算出する。この場合、基準点は「工事」単位（一回の工事において要する作業量を示す）で算定されることになる。
【００４７】
また、基準点算定部１０３は、「ケレン」という作業項目であれば、過去のケレンに要した作業時間の合計を、ケレンが行われた作業領域の面積の合計及び作業人数で除算した値（作業時間合計÷作業領域面積÷作業人数）を基準点として算出する。この場合、基準点は「平米」単位（１平米の作業に要する作業量を示す）で算定されることになる。基準点算定部１０３は、「清掃」、「接着剤塗布」及び「圧着」については同じく平米単位で基準点を算定する。例えば「ケレン」の基準点が３０点であれば、１人で行った場合１平米当たり３０秒を要する作業であることを意味する。
【００４８】
また、基準点算定部１０３は、「墨出し」という作業項目であれば、過去の墨出しに要した作業時間の合計を、墨出しの長さの合計及び作業人数で除算した値（作業時間合計÷墨出し長さ合計÷作業人数）を基準点として算出する。この場合、基準点は「メートル」単位（１メートルの作業に要する作業量を示す）で算定されることになる。なお、墨出し長さは、作業領域における作業量を変動させる変動要素であるが、墨出しの作業時間と直接的に比例する関係（作業領域の面積に関係なく比例する関係）にあるので、単純に単位長さ当たりの基準点が算定可能となっている。
【００４９】
また、基準点算定部１０３は、「張り上げ」という作業項目については、変動要素を踏まえて基準点を算定する。「張り上げ」に要する作業時間も、基本的には作業領域の面積が大きいほど増加する。ただし、「張り上げ」という作業項目には上述したようにカバー用部材のうち作業領域からはみ出す部分をカットするカット作業も含まれている。このカット作業に要する作業時間は、作業領域の面積にも影響を受けるが、それよりも入隅及び出隅の個数による影響の方が大きい。
【００５０】
図８は作業領域からはみ出すカバー用部材の例を表す。図８（ａ）では、カバー用部材が過不足なく並べられる長方形の作業領域Ｂ２が表されている。この場合、カット作業は全く発生しない。図８（ｂ）では、作業領域Ｂ２よりも狭いが端のカバー用部材が全てはみ出す長方形の作業領域Ｂ３が表されている。この場合、作業領域Ｂ２の辺に接しているカバー用部材のカット作業と、作業領域Ｂ３の４つの入隅に接しているカバー用部材のカット作業が発生するため、作業領域Ｂ２に比べて張り上げに要する作業時間が長くなる。
【００５１】
図８（ｃ）では、作業領域Ｂ３よりもさらに狭く、端のカバー用部材が全てはみ出し、且つ、それらが８つの入隅及び４つの出隅に接している作業領域Ｂ４が表されている。この場合、作業領域Ｂ３に比べて、作業領域の辺に接しているカバー用部材は少なくなるが、作業領域の入隅及び出隅に接しているカバー用部材が多くなるため、カット作業に要する時間が長くなり、張り上げに要する作業時間も長くなる。
【００５２】
基準点算定部１０３は、カバー用部材を１平米の作業領域に張り上げるのに要する時間を作業時間Ｔ１、入隅に接しているカバー用部材のカット作業に要する時間を作業時間Ｔ２、出隅に接しているカバー用部材のカット作業に要する時間を作業時間Ｔ３と仮定する。基準点算定部１０３は、例えば３つの工事における作業実績を読み出し、「（作業時間Ｔ１×作業領域の面積＋作業時間Ｔ２×入隅の個数＋作業時間Ｔ３×出隅の個数）÷作業人数＝張上作業の作業時間」という方程式にそれぞれ代入する。
【００５３】
基準点算定部１０３は、作業時間Ｔ１、Ｔ２、Ｔ３という３つの代数を、３つの式を有する連立方程式を解くことで算出する。さらに、基準点算定部１０３は、読み出す３つの作業実績を異ならせた場合における作業時間Ｔ１、Ｔ２、Ｔ３を求める。基準点算定部１０３は、こうして何通りかの作業実績の組み合わせで作業時間Ｔ１、Ｔ２、Ｔ３を求め、それらの作業時間Ｔ１、Ｔ２、Ｔ３の平均値を「張り上げ」の基準点（単位は「平米」）、「入隅」の基準点（単位は「個」）、「出隅」の基準点（単位は「個」）として算定する。
【００５４】
なお、過去に作業を行った作業者には、様々な技量の作業者が混在している。そのため、同じ作業であっても作業に要する時間は作業者によって変動する。しかし、蓄積される作業実績が増えていけば、算出される基準点が、それらの作業者のうち平均的な技量の作業者が作業した場合の作業時間に近づいていく。基準点算定部１０３は、蓄積された作業実績を用いることで、平均的な技量の作業者が作業した場合の基準点を算定する。
【００５５】
作業時間は、上述したとおり秒単位で取得されるので、作業時間合計も秒で表されることになる。従って、本実施例では、１点の基準点は、平均的な技量の作業者１人が１秒作業を行った場合の作業量を表す。例えば「ケレン」の基準点が３０点であれば、ケレンの作業は、平均的な技量の作業者が１人で行った場合１平米当たり３０秒を要することを意味する。
【００５６】
基準点算定部１０３は、例えば蓄積された作業実績を定期的に読み出して基準点を算定し、算定した基準点を基準点記憶部１０４に供給する。基準点記憶部１０４は、基準点算定部１０３により算定された各作業項目の基準点及び各変動要素の基準点を記憶する。作業入力受付部１０５は、新たな作業領域における作業内容の入力を受け付ける。作業入力受付部１０５は、その入力を受け付けるための入力画面を表示する。
【００５７】
図９は新たな作業内容の入力画面の一例を表す。図９の例では、作業入力受付部１０５は、作業量評価アプリの画面として、「新たな作業内容を入力してください。」という文字列と、「工事名」の入力欄Ｅ１１と、「作業日」の入力欄Ｅ１２と、「作業対象」の入力欄Ｅ１３と、「領域面積」の入力欄Ｅ１４と、「墨出し長さ」の入力欄Ｅ１５と、「変動要素」のうち「入隅」の個数の入力欄Ｅ１６と、「変動要素」のうち「出隅」の個数の入力欄Ｅ１７と、入力ボタンＦ２とを表示している。
【００５８】
各入力欄への入力内容は、図６に表す作業実績の入力欄への入力内容と共通している。作業入力受付部１０５は、入力ボタンＦ２を押す操作が行われたときに各入力欄に入力されている情報の入力を新たな作業内容の入力として受け付ける。作業入力受付部１０５は、この入力を受け付けることで、新たな作業領域の広さ及びその作業領域における変動要素を取得する。作業入力受付部１０５は本発明の「取得部」の一例である。
【００５９】
作業入力受付部１０５は、取得した新たな作業領域の広さ及び変動要素を作業点算出部１０６に供給する。作業点算出部１０６は、実績蓄積部１０２に蓄積された作業実績、すなわち、実績入力受付部１０１により入力が受け付けられた作業実績に基づいて、新たな作業領域における作業時間を示す点数である作業点（作業ポイント）を算出する。作業点算出部１０６は本発明の「算出部」の一例である。
【００６０】
具体的には、作業点算出部１０６は、作業実績の入力が受け付けられた作業領域における広さ、変動要素及び作業時間の関係を、作業入力受付部１０５により取得された新たな作業領域の広さ及び変動要素に適用した場合の作業時間を示す点数を算出する。作業領域における広さ、変動要素及び作業時間の関係は、図７に表す各作業項目（特に「張り上げ」）の基準点と、各変動要素（「入隅」及び「出隅」）の基準点とによって表されている。
【００６１】
作業点算出部１０６は、「工事」を単位とする基準点（新たな作業は１つの工事なので「１」を乗じるのと同義）と、「平米」を単位とする基準点に新たな作業領域の広さを乗じた値と、「メートル」を単位とする基準点に新たな作業領域の墨出し長さを乗じた値とを算出する。また、作業点算出部１０６は、「入隅」の基準点に新たな入隅の個数を乗じた値と、「出隅」の基準点に新たな出隅の個数を乗じた値とを算出する。
【００６２】
こうして算出される本実施例の作業点は、基準点と同様に平均的な技量の作業者１人が１秒作業を行った場合の作業量を表す。例えば作業点が６００点の作業は、平均的な技量の作業者が１人で行うと１０分を要することになる。但し、技量が平均よりも高い作業者が行えばより短い時間で済むし、技量が平均よりも低い作業者が行えばより長い時間を要することになる。
【００６３】
例えば平均的な技量の作業者は、１日の作業時間が７時間（２５，２００秒）だとすると、２５，２００点の作業を１日で行うことができることを意味する。これに対し、技量が高い作業者は例えば３０，０００点の作業を１日で行うことができ、技量が低い作業者は例えば２２，０００点の作業を１日で行うことができるということもある。各作業の作業点が算出されているので、各作業者が１日に行った作業の実績から１日当たりの作業点が算出可能である。
【００６４】
また、例えば６００点の作業を作業者２人で行った場合は６００点を２人で分け合って３００点ずつの作業（５分の作業）となる。厳密に言うと作業量は作業者の人数できれいに分割できるとは限らないが、大きくずれることもないから、このような作業点の割り振りが可能であるものとする。作業点算出部１０６は、こうして算出した各値の合計値を、新たな作業領域における作業時間を示す点数（作業点）として算出する。
【００６５】
作業点算出部１０６は、新たな作業の工事名及び算出した作業点を作業者組合せ抽出部１０７に供給する。作業者組合せ抽出部１０７は、作業点算出部１０６により算出された作業点の作業（新たな作業領域における作業）を行う作業者の組合せを抽出する。作業者組合せ抽出部１０７は、登録された各作業者の１日当たりの作業点（１日で実行可能な作業点）を示す作業点リストを記憶している。
【００６６】
図１０は作業点リストの一例を表す。図１０の例では、作業者を識別する作業者ＩＤに１日当たり作業点が対応付けられている。これらの作業点は、各作業者について最近（例えば過去の１か月程度）行われた作業の実績から算出される。最近の実績に限定するのは、作業者の技量も変化するので、あまり古い作業実績を用いると、現在の技量による作業点を適切に算出することができないからである。
【００６７】
作業者組合せ抽出部１０７は、記憶した各作業者の１日当たりの作業点に基づいて上記作業者の組合せを抽出する。作業者組合せ抽出部１０７は、例えば、作業点リストの作業点の合計値が新たな作業領域における作業点以上になる作業者の組合せのうち、合計値が小さい方から所定の数の組合せを抽出する。作業者組合せ抽出部１０７は、抽出した組合せの作業者ＩＤを、新たな作業の工事名及び算出された作業点と共に結果出力部１０８に供給する。
【００６８】
結果出力部１０８は、作業点算出部１０６により算出結果及び作業者組合せ抽出部１０７による抽出結果を出力する。結果出力部１０８は、例えば、自装置の表示手段に算出結果及び抽出結果を出力（表示）する。
図１１は出力された算出結果及び抽出結果の一例を表す。図１１の例では、結果出力部１０８は、作業量評価アプリの画面として、「入力された新たな作業の作業点は以下のとおりです。」という文字列と、「工事名」の表示欄Ｇ１と、「作業点」の表示欄Ｇ２とを表示している。
【００６９】
また、結果出力部１０８は、「お勧めの作業チームは以下の方々です。」という文字列と、作業者の組合せ及び作業点合計の一覧とを表示している。図１１の例では、例えば「□□内装工事」の作業点が「１００，０００」であり、「ＩＤ０１、ＩＤ０４、ＩＤ０５、ＩＤ０８」という作業者の組合せなら作業点合計が「１００，９００」、「ＩＤ０２、ＩＤ０４、ＩＤ０７、ＩＤ０８」なら作業点合計が「１０２，３００」「ＩＤ０２、ＩＤ０３、ＩＤ０６、ＩＤ０９」なら作業点合計が「１０５，１００」となることが表示されている。
【００７０】
なお、作業者はＩＤではなく氏名で表されてもよい。また、作業者組合せ抽出部１０７は、作業者を抽出する際に、必ずリーダー格（例えば１日当たりの作業点が閾値以上）の作業者を１人以上含めるという条件を付けてもよい。また、図１１に表す情報以外にも、新たな作業に関する情報（作業日等）が表示されてもよい。作業量評価装置１０のユーザは、以上のとおり作業実績と新たな作業内容とを入力することで、新たな作業領域において必要な作業時間を示す作業点と、その作業の実行が可能な作業者の組合せを知ることができる。
【００７１】
作業量評価装置１０は、上記の構成に基づいて、新たな作業領域における作業点を算出する算出処理を行う。
図１２は算出処理における動作手順の一例を表す。この動作手順は、例えば、ユーザが作業実績を入力する操作を行うことを契機に開始される。まず、作業量評価装置１０（実績入力受付部１０１）は、作業対象の領域に対して過去に行われた作業の実績の入力を受け付けることで、その作業実績を取得する（ステップＳ１１）。
【００７２】
次に、作業量評価装置１０（実績蓄積部１０２）は、取得された作業実績を蓄積する（ステップＳ１２）。続いて、作業量評価装置１０（基準点算定部１０３）は、蓄積された作業実績に基づき、作業対象の領域に対して行われる作業の作業量の基準点を算定する（ステップＳ１３）。次に、作業量評価装置１０（基準点記憶部１０４）は、算定された各作業項目の基準点及び各変動要素の基準点を記憶する（ステップＳ１４）。
【００７３】
続いて、作業量評価装置１０（作業入力受付部１０５）は、新たな作業領域における作業内容を取得したか否かを判断する（ステップＳ２１）。ステップＳ２１で取得していない（ＮＯ）と判断された場合は、作業量評価装置１０はステップＳ１１に戻って動作を行う。ステップＳ２１で取得した（ＹＥＳ）と判断された場合は、作業量評価装置１０（作業点算出部１０６）は、蓄積された作業実績に基づいて、新たな作業領域における作業時間を示す作業点を算出する（ステップＳ２２）。
【００７４】
次に、作業量評価装置１０（作業者組合せ抽出部１０７）は、算出された新たな作業領域における作業を行う作業者の組合せを抽出する（ステップＳ２３）。そして、作業量評価装置１０（結果出力部１０８）は、算出された新たな作業領域における作業点（算出結果）及び抽出された作業者の組合せ（抽出結果）を出力し（ステップＳ２４）、この動作手順を終了する。
【００７５】
本実施例では、入力された作業実績における作業領域の広さ、変動要素及び作業時間の関係から基準点が算定され、その基準点を用いて新たな作業領域の作業点が算出される。例えば単に作業領域の広さ及び作業時間だけから作業量を算出すると、図８に表す作業領域Ｂ３よりも作業領域Ｂ４の方が面積が小さいので作業量も小さいと評価することになる。しかし、実際は、入隅及び出隅が多い分、作業領域Ｂ４の方が作業量が多くなる。
【００７６】
本実施例では、入隅及び出隅のように作業量を変動させる要素を踏まえて作業点を算出するので、この変動要素を踏まえない場合に比べて、作業対象の領域における作業量を適切に評価することができる。また、変動要素として、カバー用部材の作業領域からはみ出す部分の境界の態様を用いている。この境界の態様は、現地調査を行わなくても作業領域の形状及びカバー用部材のサイズから把握することができるので、例えばカバー用部材の種類を変えた場合でも作業点の算出を容易に行うことができる。
【００７７】
［２］変形例
上述した実施例は本発明の実施の一例に過ぎず、以下のように変形させてもよい。また、実施例及び各変形例は、必要に応じて組み合わせて実施してもよい。
【００７８】
［２−１］カット部分の態様
カバー用部材のはみ出す部分とはみ出さない部分の境界（カット部分）の態様を表す要素としては、実施例で述べた入隅の数及び出隅の数以外が用いられてもよい。本変形例では、カット部分の態様を表す要素として、作業領域の境界線に対してカバー用部材の辺が斜めに交わることが用いられる。ここでいう斜めとは、０度、９０度、１８０度及び２７０度（いずれも直角）以外の角度を成すことをいう。
【００７９】
図１３は本変形例の作業領域の一例を表す。図１３では、正方形のカバー用部材の辺と自領域の境界線Ｄ１１とが斜めに（４５度の角度を成すように）交わる作業領域Ｂ１１が表されている。このようなカバー用部材の配置を「斜め配置」というものとする。図１３では、斜め配置のカバー用部材のうち、カットが不要なカバー用部材Ｃ１１とは白い正方形で表し、カットが必要なカバー用部材Ｃ１２は斜線を引いて示している。
【００８０】
カバー用部材Ｃ１２は、いずれも、自部材の辺に対して斜めにカットしなければならない。カバー用部材の多くは元々角が９０度の部材（正方形や長方形の部材）であるため、９０度の角度でカットする作業は比較的容易であるが、それに比べて斜めの角度でカットする作業は難しい。そのため、作業領域の境界線に対してカバー用部材の辺が斜めに交わっていると、それらが直角に交わっている場合に比べて、作業領域における作業量が多くなる（変動する）。
【００８１】
つまり、作業領域の境界線に対して斜めに交わるカバー用部材の辺の長さは、作業領域における作業量を変動（増加）させる変動要素となる。また、作業領域の境界線同士は０度（平行）又は９０度（直交）することが多いので、カバー用部材を斜め配置にすると、基本的には作業領域の全ての境界線においてカバー用部材の辺が斜めに交わる。そのため、作業領域の境界線の長さが長いほど、境界線に対して斜めに交わるカバー用部材の辺の長さも長くなり、カバー用部材を斜めにカットする作業の量が増加する。
【００８２】
本変形例では、実績入力受付部１０１が、作業実績として、作業領域の面積に加えて作業領域の境界線の長さ（全長）を、境界線に対して斜めに交わるカバー用部材の辺の長さとして取得する。そして、基準点算定部１０３が、カバー用部材を１平米の作業領域に張り上げるのに要する時間を作業時間Ｔ１１、斜め配置のカバー用部材の１メートル分のカット作業に要する時間を作業時間Ｔ１２と仮定する。基準点算定部１０３は、蓄積された作業実績から、２つの作業実績を読み出す。
【００８３】
このとき、基準点算定部１０３は、少なくとも１つの作業実績を、カバー用部材を斜め配置にした場合の作業実績とする。基準点算定部１０３は、読み出した２つの工事の作業実績を「（作業時間Ｔ１１×作業領域の面積＋作業時間Ｔ１２×作業領域の境界線の長さ）÷作業人数＝張上作業の作業時間」という方程式にそれぞれ代入する。基準点算定部１０３は、作業時間Ｔ１１、Ｔ１２という２つの代数を、２つの式を有する連立方程式を解くことで算出する。
【００８４】
さらに、基準点算定部１０３は、読み出す２つの作業実績を異ならせた場合における作業時間Ｔ１１、Ｔ１２を求める。基準点算定部１０３は、こうして何通りかの作業実績の組み合わせで作業時間Ｔ１１、Ｔ１２を求め、それらの作業時間Ｔ１１、Ｔ１２の平均値を「張り上げ」の基準点（単位は「平米」）、「斜め配置」の基準点（単位は「メートル」）として算定する。本変形例では、作業入力受付部１０５が、実績入力受付部１０１と同様に、作業領域の境界線の長さ（全長）を取得する。
【００８５】
作業点算出部１０６は、「工事」、「平米」、「メートル」単位の作業項目の基準点についての値を実施例と同様に算出すると共に、変動要素である「斜め配置」の基準点に新たな作業領域の境界線の長さを乗じた値を算出する。作業点算出部１０６は、こうして算出した各値の合計値を、新たな作業領域における作業時間を示す作業点として算出する。本変形例では、上記の変動要素を踏まえずに作業点を算出する場合に比べて、斜め配置の工事におけるより適切な作業点を算出することができる。
【００８６】
また、本変形例では、カット部分の態様を表す要素として、作業領域の境界線に含まれる曲線部分の長さが用いられる。
図１４は本変形例の作業領域の一例を表す。図１４では、円を４分の１に分割した形の作業領域Ｂ２１が表されている。図１４では、カットが不要なカバー用部材Ｃ２１及びカットが必要なカバー用部材Ｃ２２を表し、カットされる部分は斜線を引いて示している。
【００８７】
カバー用部材Ｃ２２においては、曲線の形にカットしなければならず、当然ながら直線にカットする場合に比べて作業が難しい。つまり、作業領域の境界線に曲線部分が含まれることは、作業領域における作業量を変動（増加）させる変動要素となる。本変形例では、実績入力受付部１０１が、作業実績として、作業領域の面積に加えて作業領域の境界線に含まれる曲線部分の長さを取得する。
【００８８】
そして、基準点算定部１０３が、カバー用部材を１平米の作業領域に張り上げるのに要する時間を作業時間Ｔ２１、カバー用部材を曲線の形に１メートル分カットする作業（曲線カット）に要する時間を作業時間Ｔ２２と仮定する。基準点算定部１０３は、作業時間Ｔ１１及びＴ１２と同様に、何通りかの作業実績の組み合わせで作業時間Ｔ２１、Ｔ２２を求め、それらの作業時間Ｔ２１、Ｔ２２の平均値を「張り上げ」の基準点（単位は「平米」）、「曲線カット」の基準点（単位は「メートル」）として算定する。
【００８９】
そして、作業入力受付部１０５が、作業領域の境界線に含まれる曲線部分の長さを取得して、作業点算出部１０６が、各作業項目の基準点についての値と、変動要素である「曲線カット」の基準点に取得された曲線部分の長さを乗じた値とを算出する。作業点算出部１０６は、こうして算出した各値の合計値を、新たな作業領域における作業時間を示す作業点として算出する。本変形例では、上記の変動要素を踏まえずに作業点を算出する場合に比べて、曲線カットを含む工事におけるより適切な作業点を算出することができる。
【００９０】
［２−２］カットに要する時間
上記の各例では、カット部分の各態様について単位長さ当たりのカットに要する時間を仮定して方程式を解くことでそれらの時間を算出したが、カットに要する時間の算出方法はこれに限らない。例えばカットの動作手順（位置合わせ、固定及びカット等）を分析して、各作業に要する時間を測定してその平均値を算出する方法が用いられてもよい。
【００９１】
また、さらに、そうして求めた平均値を用いて作業時間を算出し、実際の作業実績の時間と比較して、ずれがあれば調整するようにしてもよい。また、ＡＩ（Artificial Intelligence）を用いて、作業領域全体における作業実績及び特定の作業の作業時間の測定結果に基づいてカットに要する時間を求めさせてもよい。要するに、カットに要する時間の実態に近い値が求められるのであれば、どのような算出方法が用いられてもよい。
【００９２】
［２−３］カバー用部材の仕様
作業領域における変動要素に、カバー用部材の仕様が含まれていてもよい。ここでいうカバー用部材の仕様とは、例えばカバー用部材の厚さ及び硬さである。カバー用部材が厚いほど、また、硬いほどカバー用部材を切るのが難しくなり、カット作業に要する時間が長くなって、作業領域における作業量が多くなる（変動する）。
【００９３】
つまり、カバー用部材の厚さ及び硬さは、作業領域における作業量を変動させる変動要素となる。本変形例では、実績入力受付部１０１が、作業実績として、カバー用部材の厚さ及び硬さを取得する。カバー用部材の厚さの単位には例えばｃｍ（センチメートル）が用いられる。また、カバー用部材の硬さの単位は、例えばビッカース硬さ（ＨＶ）等のよく知られた単位が用いられればよい。
【００９４】
本変形例では、実績入力受付部１０１が、作業実績として、使用されたカバー用部材の厚さ及び硬さを取得する。基準点算定部１０３は、基準点を算定するとともに、その算定に用いられたカバー用部材の厚さの平均値及び硬さの平均値を算出する。作業入力受付部１０５は、実績入力受付部１０１と同様に、新たな作業領域で使用されるカバー用部材の厚さ及び硬さを取得する。
【００９５】
作業点算出部１０６は、まず、作業領域の広さ及び変動要素に基づいて、張り上げの作業項目についての作業点（張り上げ作業点）を算出する。そして、作業点算出部１０６は、算出されたカバー用部材の厚さの平均値に対する新たな作業のカバー用部材の厚さの比率（厚さ比率）と、算出されたカバー用部材の硬さの平均値に対する新たな作業のカバー用部材の硬さの比率（硬さ比率）とに基づいて、算出した張り上げ作業点を補正する。
【００９６】
作業点算出部１０６は、例えば、張り上げ作業点×（Ｋ１×厚さ比率）×（Ｋ２×硬さ比率）＝補正後の張り上げ作業点、として算出する。Ｋ１及びＫ２は、厚さ比率及び硬さ比率を、作業点の補正を適切に行えるようにする係数である。これらの係数は、例えば厚さ（又は硬さ）を異ならせたカバー用部材のカット作業に要する時間を測定し、厚さ（又は硬さ）が作業時間に与える影響を測定することで決定される。
【００９７】
なお、カバー用部材の仕様として、厚さ及び硬さに限らず、例えば、カバー用部材の素材が用いられてもよい。その場合、例えば素材を異ならせたカバー用部材のカット作業に要する時間を測定し、素材の違いが作業時間に与える影響を測定することで、各素材に対応する補正用の値を決定すればよい。本変形例によれば、いずれの仕様が用いられる場合であっても、作業領域に張り上げられるカバー用部材の仕様が変化したときに、より適切な作業点を算出することができる。
【００９８】
［２−４］作業の分断
作業領域における作業が第１領域での作業と第２領域での作業（第１領域及び第２領域を合わせると作業領域になる）に分断される場合がある。例えば第２領域に何かの物が設置されていて、まず第１領域について作業を行い、設置物を移動してから第２領域の作業を行うという場合である。
【００９９】
また、作業領域の一部が通路になっており完全に塞ぐことができないので、まず通路の一部分を除く第１領域の作業を行って、その後に作業していない通路の一部分を第２領域として作業を行う場合もある。また、第２領域で合番工事（立ち合いが必要とされる別の作業）が行われると、合番工事中は第２領域の作業ができないのでまず第１領域について作業を行い、合番工事が終わった後に第２領域の作業を行うという場合もある。
【０１００】
例えば全作業領域を一度に糊付けした場合に最後に塗った糊が乾くのを待つ時間が２０分だとすると、上記のように作業が分断された場合は、第１領域の作業と第２領域の作業の両方でこの２０分の待ち時間が発生することになる。そのため、作業領域の面積が同じでも、作業が分断されると作業時間は増加することが多い。
【０１０１】
一方で、例えば第２領域が極めて小さければ、例えば、第１領域のうち第２領域を使えるようにするための箇所（設置物を移設するための箇所等）の作業を先に終わらせて、第１領域の残りの領域の作業と移設及び第２領域の作業を並行して行うことも可能になる。本変形例では、このように作業領域での作業が第１領域での作業と第２領域での作業に分断される場合に、第１領域及び第２領域の広さの割合（以下「分断割合」という）が、作業領域における作業量の変動要素として用いられる。
【０１０２】
作業点算出部１０６は、新たな作業領域における分断割合に応じて、基準点に基づいて算出した作業点を補正する。作業点算出部１０６は、例えば、分断割合と補正係数とを対応付けた補正テーブルを記憶しておく。
図１５は補正テーブルの一例を表す。図１５の例では、「０．９以上」、「０．９未満０．７以上」及び「０．７未満」という分断割合に、「１．０」、「１．２」及び「１．４」という補正係数が対応付けられている。
【０１０３】
なお、図１５の例では、分断割合を、第１領域及び第２領域のうち広い方の領域の面積を作業領域の面積で除算した値で表している。例えば分断割合が「０．９」なら、第１領域及び第２領域の面積が９：１の割合になっていることを意味する。この場合、第１領域及び第２領域が同じ面積の場合に分断割合が最小の「０．５」となる。本変形例では、作業入力受付部１０５が、新たな作業領域で作業の分断が発生する際に、その分断割合（分断割合は作業者等が判断する）を取得する。
【０１０４】
そして、作業点算出部１０６は、例えば実施例のように作業点を算出し、算出した作業点に、取得された分断割合に補正テーブルで対応付けられた補正係数を乗じた値を補正後の作業点として算出する。作業点算出部１０６は、分断割合が０．５であれば作業点を１．４倍して補正後の作業点を算出し、分断割合が０．８５であれば作業点を１．２倍して補正後の作業点を算出する。このように、作業点算出部１０６は、上記のとおり分断割合が算出された場合は、分断割合が小さいほど、基準点に基づいて算出した作業点をより大きな点数に補正する。
【０１０５】
なお、分断割合及び補正係数は一例であり、図１５に表すものと異なっていてもよい。例えば第１領域の面積を第２領域の面積で除算した値を分断割合とした場合、分断割合が「１」のときに両面積が等しくなるので、分断割合が「１」に近いほど補正係数を大きくすればよい。本変形例では、上記のとおり分断割合に応じて作業点を補正することで、この補正がされない場合に比べて、作業が分断されるときの作業量を正確に評価することができる。
【０１０６】
［２−５］作業領域の気温
作業領域における変動要素に、作業領域の気温が含まれていてもよい。作業領域の気温が低いほど、手がかじかんで上手く動かせなくなるなど作業者の運動能力が低下するため、作業に要する時間が長くなる。この場合、作業領域における作業量自体は変わっていなくても、実質的に作業量が増えたのと同じ状況になる。
【０１０７】
そこで、作業点算出部１０６は、新たな作業領域で作業する際の気温の低さに応じて、基準点に基づいて算出した作業点をより大きな点数に補正する。作業点算出部１０６は、例えば、気温の低さと補正係数とを対応付けた補正テーブルを記憶しておく。
図１６は本変形例の補正テーブルの一例を表す。図１６の例では、「５℃以上」、「５℃未満０℃以上」及び「０℃未満」という気温に、「１．０」、「１．２」及び「１．４」という補正係数が対応付けられている。
【０１０８】
本変形例では、作業入力受付部１０５が、新たな作業領域で作業する際の気温を取得する。この気温は、例えば天気予報の予想気温や現地で測定した気温を元にユーザが入力する。なお、作業入力受付部１０５が、天気予報サービスの提供サーバ装置に作業日時における作業場所の気温を問い合わせて取得してもよい。作業点算出部１０６は、例えば実施例のように作業点を算出し、算出した作業点に、取得された気温に補正テーブルで対応付けられた補正係数を乗じた値を補正後の作業点として算出する。
【０１０９】
作業点算出部１０６は、気温が３℃であれば作業点を１．２倍して補正後の作業点を算出し、気温が−１℃であれば作業点を１．４倍して補正後の作業点を算出する。なお、気温の範囲及び補正係数は、図１６に表すものと異なっていてもよい。例えば、同じ作業領域への作業を気温が異なるときに行って、その作業時間の関係から補正係数が定められてもよい。本変形例では、上記のとおり気温の低さに応じて作業点を補正することで、この補正がされない場合に比べて、低温で作業効率が低下したときの作業量を正確に評価することができる。
【０１１０】
［２−６］カバー用部材の製品情報
カバー用部材としては様々な製品が存在するが、どの製品を使うかによって、カットのしやすさや張り上げやすさ、隙間の調整のしやすさなどが異なっているため、作業領域における作業時間が変動する。そこで、作業で用いられた製品が何であるかを踏まえて基準点が算定されてもよい。本変形例では、実績入力受付部１０１が、カバー用部材の製品を特定可能な情報（製品情報）を作業実績として取得する。
【０１１１】
そして、基準点算定部１０３が、使用されたカバー用部材が共通する作業実績を用いて、カバー用部材毎に基準点を算定する。その場合、作業入力受付部１０５が、製品情報を含む作業内容を取得すると、作業点算出部１０６は、取得された製品情報が示すカバー用部材についての基準点を用いて作業点を算出する。このようにカバー用部材毎の基準点を用いることで、これを用いない場合に比べて、作業量を正確に評価することができる。
【０１１２】
また、本変形例において、例えばカバー用部材の新製品が発売されたとすると、その新製品については作業実績がない。そこで、作業点算出部１０６は、カバー用部材の新製品が用いられる場合には、その新製品と類似するカバー用部材を用いた作業ほど、作業領域の広さ、変動要素及び作業時間の関係の重みを重くして作業点を算出する。カバー用部材の類似度は、例えば、カバー用部材の形状、厚さ、素材及び仕上げ等の項目のうち共通する項目の数によって表される。
【０１１３】
共通する項目数が多いほど類似度が高く、また、共通度が高いほど（例えば厚さの差が小さいほど）類似度が高いものとする。作業点算出部１０６は、例えば、重みが軽い作業実績の件数を１倍とした場合に、重みが重い作業実績の件数をＮ（Ｎは１より大きい）倍にして重み付けを行う。具体的には、作業点算出部１０６は、例えば、類似度が高い方から３つのカバー用部材の作業実績を用いて、類似度が最大の作業実績には３倍の重みを付け、類似度が２番目に大きい作業実績には２倍の重みを付け、類似度が３番目に大きい作業実績には１倍の重みを付けて作業点を算出する。
【０１１４】
３倍の重みを付けるとは、例えば作業実績の件数を３倍にすることであるが、それに限らず、他の方法で重み付けが行われてもよい。また、作業実績を用いるカバー用部材の数も、３つに限らず、２つでも４つ以上でもよい。本変形例によれば、新製品のカバー用部材が用いられる場合でも、上記の重み付けが行われない場合に比べて、作業量を正確に評価することができる。
【０１１５】
［２−７］作業道具
作業用の道具（作業道具）に何を使うかによって、作業効率が変化し、作業領域における作業時間が変動する。そこで、作業で用いられた作業道具を踏まえて基準点が算定されてもよい。本変形例では、実績入力受付部１０１が、作業で用いられた作業道具を作業実績として取得する。
【０１１６】
そして、基準点算定部１０３が、作業で用いられた作業道具が共通する作業実績を用いて、作業道具毎に基準点を算定する。その場合、作業入力受付部１０５が、作業道具を含む作業内容を取得すると、作業点算出部１０６は、取得された作業道具についての基準点を用いて作業点を算出する。このように作業道具毎の基準点を用いることで、これを用いない場合に比べて、作業量を正確に評価することができる。
【０１１７】
なお、作業道具毎の作業実績が取得される場合でも、基準点算定部１０３は、実施例と同様に全ての作業実績に基づいて基準点を算定してもよい。但し、その場合、例えば新たな作業道具を使用することで、作業効率が大きく変化して作業領域における作業時間が大きく変動する場合があるが、その作業実績をそのまま使用して基準点を算定すると、その作業道具を使用していない作業者にとっては作業点が必要以上に小さくなるということが起こり得る。
【０１１８】
そこで、基準点算定部１０３は、作業効率が極端に高い作業道具の作業実績の重みを軽くして基準点を算出してもよい。より具体的には、基準点算定部１０３は、作業時間を所定のレベル以上短縮する特定の作業道具の使用率が閾値以上になるまでは、その特定の作業道具を用いた作業については作業実績（作業領域の広さ、変動要素及び作業時間）が示す関係の重みを、それらの作業道具を用いない作業の作業実績が示す関係よりも軽くして基準点を算出する。
【０１１９】
特定の作業道具の決め方は例えば次のとおりである。まず、基準点算定部１０３は、同じ項目の作業に用いる複数の作業道具がある場合に、同じ広さの作業領域に対して同じ作業者がその作業を行い、作業時間を記録する。そして、基準点算定部１０３は、各作業道具の作業時間を最長の作業時間から減算した時間（作業時間が短いほど大きな値になる）を標本とした場合の偏差値を算出する。
【０１２０】
基準点算定部１０３は、この偏差値が閾値（例えば６０）以上になる作業道具を、作業時間が所定のレベル以上短縮される特定の作業道具として定める。なお、特定の作業道具の決め方はこれに限らない。例えば作業道具が２つしかない場合、単純に作業時間の割合が所定の割合（例えば２倍）以上になった場合に、作業時間が短い方の作業道具を特定の作業道具として定めてもよい。また、特定の作業道具は、１つに限らず、２以上定められてもよい。
【０１２１】
基準点算定部１０３は、こうして特定の作業道具を定めると、蓄積された作業実績に基づいて、特定の作業道具の使用率（全ての作業のうち特定の作業道具が用いられた作業の割合）を算出する。基準点算定部１０３は、算出した使用率が閾値（例えば５０％）以上である場合は、その作業道具が十分に普及しているものとして、作業実績の重みを一律にして基準点を算定する。
【０１２２】
基準点算定部１０３は、算出した使用率が閾値未満である場合は、その作業道具がまだ十分に普及していないものとして、その特定の作業道具を用いた作業については作業実績が示す関係の重みを軽くして基準点を算出する。基準点算定部１０３は、例えば上記変形例で作業点算出部１０６がカバー用部材の作業実績に対して行ったものと同じ重み付けを行って、基準点を算定する。
【０１２３】
作業点算出部１０６は、こうして算定された基準点を用いて作業点を算出する。これにより、作業点算出部１０６は、基準点算定部１０３と同様に、特定の作業道具の使用率が閾値以上になるまでは、その特定の作業道具を用いた作業については作業実績が示す関係の重みを軽くして作業点を算出することになる。本変形例によれば、作業効率が極端に大きい作業道具による作業実績のためにその作業道具を使用していない作業者にとって作業点が必要以上に小さくなるということを防ぐことができる。
【０１２４】
［２−８］作業者の技量レベル
作業者の技量レベル（段階的に表された技量の高さを示す指標）が極めて高い（例えば熟練者の）場合、同じ作業内容でも作業時間が大幅に短くなる場合がある。反対に、作業者の技量レベルが極めて低い（例えば初心者の）場合、同じ作業内容でも作業時間が大幅に長くなる場合がある。そこで、作業者の技量レベルを踏まえて基準点が算定されてもよい。
【０１２５】
本変形例では、実績入力受付部１０１が、作業を行った作業者の技量レベルを作業実績として取得する。作業者の技量レベルは、例えば作業者が有する資格又はライセンスによって表される。他にも、作業者がこれまでに行ってきた作業時間によって技量レベルが表されてもよい（作業時間が長いほど技量レベルが高い）。そして、基準点算定部１０３が、作業者の技量レベルが共通する作業実績を用いて、技量のレベル毎に基準点を算定する。
【０１２６】
その場合、作業入力受付部１０５が、作業者の技量レベルを含む作業内容を取得すると、作業点算出部１０６は、取得された技量レベルについての基準点を用いて作業点を算出する。このように作業者の技量レベル毎の基準点を用いることで、これを用いない場合に比べて、作業量を正確に評価することができる。なお、作業レベル毎の作業実績が取得される場合でも、基準点算定部１０３は、実施例と同様に全ての作業実績に基づいて基準点を算定してもよい。
【０１２７】
但し、その場合、例えば熟練者が多い作業チームの作業実績を多く使用して基準点を算定すると、作業時間が短くなりがちなので、普通の技術レベルの作業員のチームにとっては作業点が必要以上に小さくなるということが起こり得る。また、反対に、初心者が多い作業チームの作業実績を多く使用して基準点を算定すると、作業時間が長くなりがちなので、普通の技術レベルの作業員のチームにとっては作業点が必要以上に大きくなるということが起こり得る。
【０１２８】
そこで、基準点算定部１０３は、技量レベルが極端に高い又は低い作業者の作業実績の重みを軽くして基準点を算出してもよい。より具体的には、基準点算定部１０３は、所定の上級レベル以上の技量レベル又は所定の下級レベル未満の技量レベルの作業者による作業実績（作業領域の広さ、変動要素及び作業時間）が示す関係の重みを、それらの作業者以外の作業者による作業の作業実績が示す関係よりも軽くして基準点を算出する。
【０１２９】
基準点算定部１０３は、例えば上記変形例で作業点算出部１０６がカバー用部材の作業実績に対して行ったものと同じ重み付けを行って、基準点を算定する。これにより、作業点算出部１０６は、基準点算定部１０３と同様に、所定の上級レベル以上の技量レベル又は所定の下級レベル未満の技量レベルの作業者による作業実績が示す関係の重みを軽くして作業点を算出することになる。本変形例によれば、技量レベルが極端に高い又は低い作業者が偏って含まれた作業チームによる作業実績のために作業点が適切でなくなることを防ぐことができる。
【０１３０】
［２−９］基準点及び作業点
基準点及び作業点は、実施例では、平均的な技量の作業者１人が１秒作業を行った場合の作業量を表したが、これに限らない。例えば実施例の点数に特定の四則演算（例えば２倍等）を行った値を用いてもよい。要するに、その点数から作業量の多さが評価可能に表されていればよい。また、数値ではなく数値に対応する記号や図形（グラフ等）で表されてもよい。これらの場合も、作業量の多さが評価可能に表されていればよい。
【０１３１】
［２−１０］作業の種類
実施例では、内装工事の作業における作業点について説明したが、作業の対象はそれに限らない。例えば、建物の外装工事でもよいし、屋外のコートでの人工芝や長尺シート施工でもよい。また、カバー用部材を用いない作業であってもよく、例えば、作業領域に対して特殊な加工（防水・防塵加工等）を行う作業であってもよい。要するに、作業対象の領域に対して行われる作業であり、基本的には作業領域の面積が大きくなるにつれて作業量が増加するが、作業領域の面積とは別に、作業量を変動させる要素が存在する作業であれば、どのような作業が作業点の算出対象となってもよい。
【０１３２】
［２−１１］各部を実現する装置
実施例では、作業量評価装置１０が図２に表す各機能を実現したが、他の装置と協働してこれらの機能を実現してもよい。
図１７は本変形例の全体構成の一例を表す。図１７の例では、ユーザ端末２と、サーバ装置３と、ネットワーク４とを備える作業量評価システム１が表されている。ネットワーク４は、インターネット等を含み、ユーザ端末２が無線で接続され、サーバ装置３が有線で接続されている。
【０１３３】
図１８は本変形例で実現される機能構成の一例を表す。図１８の例では、実績入力受付部１０１、基準点記憶部１０４、作業入力受付部１０５、作業点算出部１０６、作業者組合せ抽出部１０７及び結果出力部１０８はユーザ端末２によって実現され、実績蓄積部１０２及び基準点算定部１０３はサーバ装置３によって実現されている。この場合、ユーザは、ユーザ端末２に対して作業実績の入力を行う。
【０１３４】
入力された作業実績は、サーバ装置３によって蓄積され、定期的に基準点が算定される。サーバ装置３は、算定した基準点をユーザ端末２に通知する。ユーザ端末２は、通知された基準点を記憶しておき、実施例と同様に作業点を算出する。なお、サーバ装置３は、クラウドコンピューティングの形式で提供されてもよい。要するに、図２に表す各機能が実現されるのであれば、それを実現する装置の構成はどのようになっていてもよい。
【０１３５】
［２−１２］発明のカテゴリ
本発明は、作業量評価装置１０のような情報処理装置や作業量評価システム１のような情報処理システムとして捉えられる。また、本発明は、情報処理装置が実施する処理を実現するための情報処理方法としても捉えられる。その場合、各処理を実現する主体となる情報処理装置は複数に分かれていてもよい。また、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【０１３６】
１…作業量評価システム、２…ユーザ端末、３…サーバ装置、１０…作業量評価装置、１０１…実績入力受付部、１０２…実績蓄積部、１０３…基準点算定部、１０４…基準点記憶部、１０５…作業入力受付部、１０６…作業点算出部、１０７…作業者組合せ抽出部、１０８…結果出力部。
【図１】
2020123100.tif 000003
【図２】
2020123100.tif 000004
【図３】
2020123100.tif 000005
【図４】
2020123100.tif 000006
【図５】
2020123100.tif 000007
【図６】
2020123100.tif 000008
【図７】
2020123100.tif 000009
【図８】
2020123100.tif 000010
【図９】
2020123100.tif 000011
【図１０】
2020123100.tif 000012
【図１１】
2020123100.tif 000013
【図１２】
2020123100.tif 000014
【図１３】
2020123100.tif 000015
【図１４】
2020123100.tif 000016
【図１５】
2020123100.tif 000017
【図１６】
2020123100.tif 000018
【図１７】
2020123100.tif 000019
【図１８】
2020123100.tif 000020
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
作業対象の領域に対して過去に行われた作業であってカバー用の部材を前記領域に張り上げる作業の実績として、当該領域の広さ、当該領域における作業量を変動させる要素であって前記領域に前記部材を並べると前記領域から前記部材がはみ出す場合に、前記部材のはみ出す部分とはみ出さない部分との境界の態様を表す要素が含まれる要素及び作業時間の入力を受け付ける受付部と、
新たな作業対象の領域の広さ及び当該領域における前記要素を取得する取得部と、
前記実績の入力が受け付けられた領域における前記広さ、前記要素及び作業時間の関係を、取得された前記広さ及び前記要素に適用した場合の作業時間を示す点数を算出する算出部と
を備える情報処理装置。
【請求項２】
前記態様を表す要素は、前記領域に存在する入隅の数又は出隅の数である
請求項１に記載の情報処理装置。
【請求項３】
前記態様を表す要素は、前記部材の辺が前記領域の境界線に対して斜めに交わる部分の長さである
請求項１又は２に記載の情報処理装置。
【請求項４】
前記態様を表す要素は、前記領域の境界線に含まれる曲線部分の長さである
請求項１から３のいずれか１項に記載の情報処理装置。
【請求項５】
作業対象の領域に対して過去に行われた作業の実績として、当該領域の広さ、当該領域における作業量を変動させる要素及び作業時間の入力を受け付ける受付部と、
新たな作業対象の領域の広さ及び当該領域における前記要素を取得する取得部と、
前記実績の入力が受け付けられた領域における前記広さ、前記要素及び作業時間の関係を、取得された前記広さ及び前記要素に適用した場合の作業時間を示す点数を算出する算出部であって、前記新たな作業対象の領域で作業する際の気温の低さに応じて、前記適用した場合の作業時間を示す点数をより大きな点数に補正する算出部と
を備える情報処理装置。
【請求項６】
作業対象の領域に対して過去に行われた作業であってカバー用の部材を前記領域に張り上げる作業の実績として、当該領域の広さ、当該領域における作業量を変動させる要素及び作業時間の入力を受け付ける受付部と、
新たな作業対象の領域の広さ及び当該領域における前記要素を取得する取得部と、
前記実績の入力が受け付けられた領域における前記広さ、前記要素及び作業時間の関係を、取得された前記広さ及び前記要素に適用した場合の作業時間を示す点数を算出する算出部であって前記部材の新製品が用いられる場合には、当該新製品と類似する部材を用いた作業ほど前記広さ、要素及び作業時間の関係の重みを重くして前記点数を算出する算出部と
を備える情報処理装置。
【請求項７】
作業対象の領域に対して過去に行われた作業の実績として、当該領域の広さ、当該領域における作業量を変動させる要素及び作業時間の入力を受け付ける受付部と、
新たな作業対象の領域の広さ及び当該領域における前記要素を取得する取得部であって作業で用いられた作業道具を前記作業の実績として取得する取得部と、
前記実績の入力が受け付けられた領域における前記広さ、前記要素及び作業時間の関係を、取得された前記広さ及び前記要素に適用した場合の作業時間を示す点数を算出する算出部であって作業時間を所定のレベル以上短縮する特定の作業道具の使用率が閾値以上になるまでは、当該特定の作業道具を用いた作業についての前記広さ、要素及び作業時間の関係の重みを軽くして前記点数を算出する算出部と
を備える情報処理装置。
【請求項８】
作業対象の領域に対して過去に行われた作業の実績として、当該領域の広さ、当該領域における作業量を変動させる要素及び作業時間の入力を受け付ける受付部と、
新たな作業対象の領域の広さ及び当該領域における前記要素を取得する取得部であって作業を行った作業者の技量レベルを前記作業の実績として取得する取得部と、
前記実績の入力が受け付けられた領域における前記広さ、前記要素及び作業時間の関係を、取得された前記広さ及び前記要素に適用した場合の作業時間を示す点数を算出する算出部であって所定の上級レベル以上の技量レベル又は所定の下級レベル未満の技量レベルの作業者による前記作業の実績における前記広さ、要素及び作業時間の関係の重みを軽くして前記点数を算出する算出部と
を備える情報処理装置。
【手続補正２】
【補正対象書類名】明細書
【補正対象項目名】０００５
【補正方法】変更
【補正の内容】
【０００５】
上記目的を達成するために、本発明は、作業対象の領域に対して過去に行われた作業であってカバー用の部材を前記領域に張り上げる作業の実績として、当該領域の広さ、当該領域における作業量を変動させる要素であって前記領域に前記部材を並べると前記領域から前記部材がはみ出す場合に、前記部材のはみ出す部分とはみ出さない部分との境界の態様を表す要素が含まれる要素及び作業時間の入力を受け付ける受付部と、新たな作業対象の領域の広さ及び当該領域における前記要素を取得する取得部と、前記実績の入力が受け付けられた領域における前記広さ、前記要素及び作業時間の関係を、取得された前記広さ及び前記要素に適用した場合の作業時間を示す点数を算出する算出部とを備える情報処理装置を提供する。
【手続補正３】
【補正対象書類名】明細書
【補正対象項目名】０００６
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明は、作業対象の領域に対して過去に行われた作業の実績として、当該領域の広さ、当該領域における作業量を変動させる要素及び作業時間の入力を受け付ける受付部と、新たな作業対象の領域の広さ及び当該領域における前記要素を取得する取得部と、前記実績の入力が受け付けられた領域における前記広さ、前記要素及び作業時間の関係を、取得された前記広さ及び前記要素に適用した場合の作業時間を示す点数を算出する算出部であって、前記新たな作業対象の領域で作業する際の気温の低さに応じて、前記適用した場合の作業時間を示す点数をより大きな点数に補正する算出部とを備える情報処理装置を提供する。
【手続補正７】
【補正対象書類名】明細書
【補正対象項目名】００１３
【補正方法】変更
【補正の内容】
【００１３】
また、本発明は、作業対象の領域に対して過去に行われた作業であってカバー用の部材を前記領域に張り上げる作業の実績として、当該領域の広さ、当該領域における作業量を変動させる要素及び作業時間の入力を受け付ける受付部と、新たな作業対象の領域の広さ及び当該領域における前記要素を取得する取得部と、前記実績の入力が受け付けられた領域における前記広さ、前記要素及び作業時間の関係を、取得された前記広さ及び前記要素に適用した場合の作業時間を示す点数を算出する算出部であって前記部材の新製品が用いられる場合には、当該新製品と類似する部材を用いた作業ほど前記広さ、要素及び作業時間の関係の重みを重くして前記点数を算出する算出部とを備える情報処理装置を提供する。
【手続補正８】
【補正対象書類名】明細書
【補正対象項目名】００１４
【補正方法】変更
【補正の内容】
【００１４】
また、本発明は、作業対象の領域に対して過去に行われた作業の実績として、当該領域の広さ、当該領域における作業量を変動させる要素及び作業時間の入力を受け付ける受付部と、新たな作業対象の領域の広さ及び当該領域における前記要素を取得する取得部であって作業で用いられた作業道具を前記作業の実績として取得する取得部と、前記実績の入力が受け付けられた領域における前記広さ、前記要素及び作業時間の関係を、取得された前記広さ及び前記要素に適用した場合の作業時間を示す点数を算出する算出部であって作業時間を所定のレベル以上短縮する特定の作業道具の使用率が閾値以上になるまでは、当該特定の作業道具を用いた作業についての前記広さ、要素及び作業時間の関係の重みを軽くして前記点数を算出する算出部とを備える情報処理装置を提供する。
【手続補正９】
【補正対象書類名】明細書
【補正対象項目名】００１５
【補正方法】変更
【補正の内容】
【００１５】
また、本発明は、作業対象の領域に対して過去に行われた作業の実績として、当該領域の広さ、当該領域における作業量を変動させる要素及び作業時間の入力を受け付ける受付部と、新たな作業対象の領域の広さ及び当該領域における前記要素を取得する取得部であって作業を行った作業者の技量レベルを前記作業の実績として取得する取得部と、前記実績の入力が受け付けられた領域における前記広さ、前記要素及び作業時間の関係を、取得された前記広さ及び前記要素に適用した場合の作業時間を示す点数を算出する算出部であって所定の上級レベル以上の技量レベル又は所定の下級レベル未満の技量レベルの作業者による前記作業の実績における前記広さ、要素及び作業時間の関係の重みを軽くして前記点数を算出する算出部とを備える情報処理装置を提供する。
【手続補正１０】
【補正対象書類名】明細書
【補正対象項目名】００１６
【補正方法】削除
【補正の内容】